(57)【要約】【課題】浴室とバルコニーの双方で入浴でき、しかも、無駄なく多目的に利用することができる浴室構造を提供する。【解決手段】浴室１とバルコニー２とが隣接して設けられ、その境界壁には両者間を互いに出入可能となされた開閉戸３が設けられてなり、浴槽４の底面４１に滑車４２が設けられるとともに、浴室１内の排水口１２ａと浴槽４の排水口４１ａとの間が伸縮自在な排水管６で接続され、浴槽４の底面４１に設けられた滑車４２によって、浴槽４が浴室１とバルコニー２との間を移動可能となされた浴室構造である。【選択図】  図１
2008013966.tif 000002
【特許請求の範囲】
【請求項１】
浴室とバルコニーとが隣接して設けられ、その境界壁には両者間を互いに出入可能となされた開閉戸が設けられてなり、浴槽の底面に滑車が設けられるとともに、浴室内の排水口と浴槽の排水口との間が伸縮自在な排水管で接続され、浴槽の底面に設けられた滑車によって、浴槽が浴室とバルコニーとの間を移動可能となされたことを特徴とする浴室構造。
【請求項２】
バルコニーの手摺り壁は、床から天井に到る高さに立設されたフレームに対して、長板状の複数のルーバー片を水平方向に固定して形成され、各ルーバー片は、下縁がバルコニー内側で上縁が外側となった傾斜状態で固定され、バルコニー外からの視線を遮り、バルコニー内に光を取り入れるようになされた請求項１記載の浴室構造。
【請求項３】
境界壁または開閉戸の少なくとも何れか一方は、透光性を有する素材で形成された請求項１または２記載の浴室構造。
【発明の詳細な説明】
【技術分野】
【０００１】
本発明は、住宅建物の浴室構造に関するものである。
【背景技術】
【０００２】
一般に、住宅建物内の浴室は、全面が壁に覆われており、閉塞感が強い。
【０００３】
そこで、従来より、開放感のある浴室を構成するために、浴室内の戸外バルコニーに面した壁面に、浴室とバルコニーとの間で出入可能となされた透光性を有する開閉戸を設けることが提案されている（特許文献１参照）。
【特許文献１】特開２００５−２２０５６２号公報
【発明の開示】
【発明が解決しようとする課題】
【０００４】
しかし、上記従来の浴室構造の場合、浴室と、この浴室に面したバルコニーとの間を、開閉戸から出入することができるものの、あくまでも入浴者が移動することによって初めてバルコニーに出ることができるものであって、バルコニーで入浴することができるものではない。
【０００５】
そのため、浴室とバルコニーとの双方に浴槽を設けることが考えられるが、この場合、二つの浴槽が必要になるため、水の使用量が増えてコスト高となる。
【０００６】
また、バルコニーのような屋外に浴槽を設けた場合、浴槽が傷みやすくなり、頻繁に利用しない場合には、藻やコケが生えやすくなり、蚊やボウフラが発生しやすくなる。
【０００７】
また、バルコニーの浴槽にお湯を入れていたにも関わらず、急な天候悪化などで入れなくなった場合、バルコニーの浴槽のお湯が全て無駄になってしまう。
【０００８】
本発明は、係る実情に鑑みてなされたものであって、浴室とバルコニーの双方で入浴でき、しかも、無駄なく多目的に利用することができる浴室構造を提供することを目的としている。
【課題を解決するための手段】
【０００９】
上記課題を解決するための本発明の浴室構造は、浴室とバルコニーとが隣接して設けられ、その境界壁には両者間を互いに出入可能となされた開閉戸が設けられてなり、浴槽の底面に滑車が設けられるとともに、浴室内の排水口と浴槽の排水口との間が伸縮自在な排水管で接続され、浴槽の底面に設けられた滑車によって、浴槽が浴室とバルコニーとの間を移動可能となされたものである。
【００１０】
また、上記浴室構造において、バルコニーの手摺り壁は、床から天井に到る高さに立設されたフレームに対して、長板状の複数のルーバー片を水平方向に固定して形成され、各ルーバー片は、下縁がバルコニー内側で上縁が外側となった傾斜状態で固定され、バルコニー外からの視線を遮り、バルコニー内に光を取り入れるようになされたものである。
【００１１】
さらに、上記浴室構造において、境界壁または開閉戸の少なくとも何れか一方は、透光性を有する素材で形成されたものである。
【発明の効果】
【００１２】
以上述べたように、本発明によると、浴室またはバルコニーの何れかに浴槽を移動させて使用することができる。したがって、浴室以外にバルコニーに浴槽を設けることなく、バルコニーにおいて露天風呂感覚での入浴が可能となる。
【００１３】
また、通常時は浴室内に浴槽を収納しておけば良く、浴槽をいためることもない。
【００１４】
さらに、浴槽をバルコニーに移動させることができるので、大型屋外犬を飼っているような場合には、このバルコニーで浴槽の残り湯を利用して犬を洗ったりすることができ、また、子供がいるような場合には、バルコニーで行水させたりすることができ、また、浴槽で冷めた水をバルコニー周辺の植木の水やりに使用したりすることができ、入浴以外に多目的な利用が可能となる。
【００１５】
また、バルコニーの手摺り壁をルーバー片で構成し、バルコニー外からの視線を遮り、バルコニー内に光を取り入れるようにすることで、バルコニーは、開放感がありながら閉鎖された空間にすることができるので、他人に覗かれることなく安心して開放感のある入浴を楽しむことができる。
【００１６】
さらに、境界壁または開閉戸の少なくとも何れか一方を、透光性を有する素材で形成することで、浴室とバルコニーとの区別を無くして浴室に居ながらもバルコニーと同様の開放感のある入浴が可能となる。
【発明を実施するための最良の形態】
【００１７】
以下、本発明の実施の形態を図面を参照して説明する。
【００１８】
図１ないし図３は、浴室構造の全体構成の概略を示し、図４は同浴室構造に用いる浴槽を示している。
【００１９】
すなわち、この浴室構造は、浴室１とバルコニー２とが隣接して設けられ、その境界には両者間を互いに出入可能となされた開閉戸３が設けられてなり、浴槽４が、浴室１とバルコニー２との間を移動可能となされたものである。
【００２０】
浴室１は、洗面所とトイレとを兼用するようになされた脱衣室５から出入口１０を介して出入することができるようになされており、出入口１０を入った所は洗い場１１となされている。洗い場１１に隣接した位置は、浴槽４の設置場所１２となされており、洗い場１１は、設置場所１２よりも一段低く形成され、洗い場１１で使った水を、この洗い場１１に設けられた排水口１１ａから効率良く排水することができるようになされている。また、設置場所１２は、隣接するバルコニー２と同じ高さとなるように形成されており、この設置位置１２およびバルコニー２の上を滑動する浴槽４が引っかかることなくスムーズに移動できるようになされている。
【００２１】
バルコニー２は、浴室１に隣接して設けられている。このバルコニー２は、浴室１に隣接する居室にも面するようになされて居室と共用となっている。このバルコニー２の手摺り壁２０は、バルコニー２の床から天井までに到る高さに立設されたフレーム２１に対して、長板状の複数のルーバー片２２を水平方向に固定して形成されている。各ルーバー片２２は、下縁２２ａがバルコニー２の内側で上縁２２ｂが外側となった傾斜状態で固定されている。これによりバルコニー２は、外からの視線を遮り、内部に光を取り入れることができるようになされ、開放感があり、しかもプライバシーを守ることができる閉塞された空間を形成するようになされている。
【００２２】
開閉戸３は、浴室１のバルコニー２に面した境界の床から天井までの全面に設けられており、４枚の引き違い戸３１によって構成されている。この開閉戸３を構成する各引き違い戸３１は、透光性を有するガラス戸からなる。この開閉戸３により、上記したバルコニー２内に取り入れられる採光を、さらに浴室１内へと取り入れて明るい浴室を形成することができるようになされている。
【００２３】
浴槽４は、底面４１に滑車４２が設けられ、この底面４１に設けられた排水口４０と、浴室１の設置場所１２に設けられた排水口１２ａとの間が、伸縮可能な蛇腹状に形成された排水管６で接続されている。この排水管５は、浴槽４を浴室１の設置場所１２からバルコニー２へと出し入れできる長さに設定されている。浴槽４は、滑車４２にストッパー（図示省略）を設けて自由な位置に停止させるようにしたものであってもよいし、設置場所１２やバルコニー２に、滑車４２の嵌まり込む凹設部（図示省略）を設けておき、この凹設部に滑車４２を嵌め込むことによって移動させた浴槽４を位置決めするものであってもよい。
【００２４】
このようにして構成される浴室構造によると、まず、浴室１で通常の浴室１のようにして入浴することができる。この際、開閉戸３からは、浴室１内に採光が得られるので、浴室１とバルコニー２との区別を無くして浴室１に居ながらもバルコニー２と同様の開放感のある入浴が可能となる。
【００２５】
また、開閉戸３を開けて設置位置１２にある浴槽４をバルコニー２へと移動させ、このバルコニー２において露天風呂感覚で入浴することができる。
【００２６】
このバルコニー２への浴槽４の移動は、単に開閉戸３を開けて設置位置１２にある浴槽４をバルコニー２へと押すだけで良いので、簡単にバルコニー２へと移動させることができる。また、浴槽４を浴室１へと戻す際も、浴槽４を手で押して簡単に戻すことができる。したがって、急な天候不良などの場合であっても、バルコニー２から浴室１へと簡単に浴槽４を移動させることができるので、無駄なく快適に入浴することができる。
【００２７】
浴槽４は、バルコニー２で使用しない際には浴室１内に収納しておけばよいので、屋外に常時設置した場合のように浴槽４をいためることもない。
【００２８】
また、バルコニー２へと浴槽４を移動させることができるので、入浴以外に多目的な利用が可能となる。例えば、大型屋外犬を飼っているような場合には、このバルコニー２で浴槽４の残り湯を利用して犬を洗ったりすることができる。また、子供がいるような場合には、バルコニー２で行水させたりすることができる。さらに、浴槽４で冷めた水をバルコニー２周辺の植木の水やりに使用したりすることができる。
【００２９】
また、バルコニー２で浴槽４を使用する場合、外部からの視線が気になるが、このバルコニー２の手摺り壁２０は、バルコニー２の床から天井までに到る高さに立設されたフレーム２１に対して、長板状の複数のルーバー片２２を、下縁２２ａがバルコニー２の内側で上縁２２ｂが外側となった傾斜状態で固定して構成しているので、バルコニー２の外からの視線を遮り、バルコニー２の内部に光を取り入れることができる。したがって、開放感がありながらもプライバシーを守ることができる閉塞された空間を形成することができ、他人に覗かれることなく安心して開放感のある入浴を楽しむことができる。
【００３０】
なお、本実施の形態において、浴槽４は、単に滑車４２を設けて手で押すように構成されているが、高齢者でも使用できるように、ボタン一つで移動可能な電動式にしたものであってもよい。また、開閉戸３も自動開閉するようにしたものであってもよいし、浴槽４と開閉戸３とを連動させるようにしたものであってもよい。また、本実施の形態において、浴槽４は、長手方向に沿って滑動して浴室１とバルコニー２との間を出入することができるようになされているが、短手方向に沿って滑動して浴室１とバルコニー２との間を出入することができるようになされたものであってもよい。
【００３１】
また、本実施の形態において、開閉戸３は、浴室１とバルコニー２との境界壁全体に形成されているが、この開閉戸３の大きさとしては、少なくとも浴槽４を浴室１とバルコニー２との間で出し入れすることができる大きさであれば、特に限定されるものではなく、例えば、設置位置１２に面した境界壁部分にのみ開口するように設けられたものであってもよい。また、開閉戸３は、透光性を有するガラス戸によって形成されているが、半透明のものであってもよいし、遮光性のものであっても良い。同様に、開閉戸３を設けない境界壁部分が形成されるような場合にも、この境界壁部分は、透光性を有するガラスなどによって形成されたものであってもよいし、半透明のものであってもよいし、住宅建物と同じ壁材などの遮光性のものであっても良い。
【００３２】
また、本実施の形態において、バルコニー２は、隣接する居室と共用するように構成されているが、浴室１のための専用のバルコニー２を構成するものであってもよい。また、バルコニー２の手摺り壁２０は、床から天井までに到る高さとなされているが、腰壁よりも高い位置であれば、特に限定されるものではなく、周囲の見通しなどに応じて適宜調整すればよい。
【００３３】
また、この風呂構造は、住宅建物内の何処の階層に設けるものであってもよい。また、脱衣室５、浴室１、バルコニー２の間取りなどは、住宅建物のプランに応じて適宜変更される。
【産業上の利用可能性】
【００３４】
住宅建物の浴室として利用できる。
【図面の簡単な説明】
【００３５】
【図１】本発明に係る浴室構造の全体構成の概略を示す部分斜視図である。
【図２】本発明に係る浴室構造の全体構成の概略を示す間取り図である。
【図３】本発明に係る浴室構造の全体構成の概略を示す垂直断面図である。
【図４】本発明に係る浴室構造に用いられる浴槽の断面図である。
【符号の説明】
【００３６】
１  浴室
１２ａ  排水口
２  バルコニー
２０  手摺り壁
２１  フレーム
２２  ルーバー片
２２ａ  下縁
２２ｂ  上縁
３  開閉戸
４  浴槽
４１  底面
４１ａ  排水口
４２  滑車
６  排水管
【図１】
2008013966.tif 000003
【図２】
2008013966.tif 000004
【図３】
2008013966.tif 000005
【図４】
2008013966.tif 000006